(57)【要約】  プリアンブルの受信特性を改善させる無線送信方法。本発明の無線送信方法は、プリアンブル系列を連続して配置するサブキャリア（送信アンテナTx1: 1,2,3,  5,6,7,8,…、送信アンテナTx2: 4,  9,10,  12,13,14,…）のパターンを周波数方向で変化させるようにした。これにより、プリアンブル系列をランダムなサブキャリア間隔で配置することができるので、時間領域でプリアンブル系列の自己相関値を求めた場合に、サイドローブのピーク値が小さくなり、この結果、タイミングの検出誤りを防止できる。
2009090869.tif 000002
【特許請求の範囲】
【請求項１】
プリアンブル系列信号を生成するプリアンブル系列生成手段と、
複数のアンテナを用いて、前記プリアンブル系列信号を重み付けベクトルによって重み付けする重み付け手段と、
前記重み付けされた信号をランダムなサブキャリア間隔で配置する配置手段と、
を具備する無線送信装置。
【請求項２】
前記重み付け手段は、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、
前記配置手段は、前記第１の重み付け後の信号と前記第２の重み付け後の信号とをそれぞれランダムなサブキャリア間隔で配置し、かつ前記第１の重み付け後の信号と前記第２の重み付け後の信号が配置されるサブキャリアが重複しないように配置する、
請求項１に記載の無線送信装置。
【請求項３】
前記重み付けベクトルは、重みが０のものを含む
請求項１に記載の無線送信装置。
【請求項４】
前記配置手段は、前記プリアンブル系列信号を連続して配置するサブキャリアのパターンを周波数方向で変化させる、
請求項１に記載の無線送信装置。
【請求項５】
前記配置手段は、ＰＮ系列と同一パターンのサブキャリアに前記プリアンブル系列信号を配置する、
請求項１に記載の無線送信装置。
【請求項６】
前記配置手段は、前記ＰＮ系列として、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０の位置のいずれかに対応するサブキャリアに前記プリアンブル系列信号を配置する、
請求項５に記載の無線送信装置。
【請求項７】
前記配置手段は、前記ＰＮ系列として、サブキャリア数からＤＣサブキャリアを除いた長さと同じ長さのＭ系列を用い、当該Ｍ系列の配列パターンにサブキャリアの配列を対応させて、当該Ｍ系列のビット０の位置に対応するサブキャリアに前記プリアンブル系列信号を配置する、
請求項５に記載の無線送信装置。
【請求項８】
前記配置手段は、送信アンテナ数に応じて、前記プリアンブル系列信号を配置するサブキャリアを周波数方向にシフトさせる、
請求項１に記載の無線送信装置。
【請求項９】
プリアンブル系列信号を生成するプリアンブル系列生成ステップと、
複数のアンテナを用いて、前記プリアンブル系列信号を重み付けベクトルによって重み付けする重み付けステップと、
前記重み付けされた信号をランダムなサブキャリア間隔で配置する配置ステップと、
を含む無線送信方法。
【請求項１０】
前記重み付けステップでは、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、
前記配置ステップでは、前記第１の重み付け後の信号と前記第２の重み付け後の信号とをそれぞれランダムなサブキャリア間隔で配置し、かつ前記第１の重み付け後の信号と前記第２の重み付け後の信号が配置されるサブキャリアが重複しないように配置する、
請求項９に記載の無線送信方法。
【請求項１１】
前記重み付けベクトルは、重みが０のものを含む
請求項９に記載の無線送信方法。
【請求項１２】
前記配置ステップでは、前記プリアンブル系列信号を連続して配置するサブキャリアのパターンを周波数方向で変化させる、
請求項９に記載の無線送信方法。
【請求項１３】
前記配置ステップでは、ＰＮ系列と同一パターンのサブキャリアに前記プリアンブル系列信号を配置する、
請求項９に記載の無線送信方法。
【請求項１４】
前記配置ステップでは、前記ＰＮ系列として、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０の位置のいずれかに対応するサブキャリアに前記プリアンブル系列信号を配置する、
請求項１３に記載の無線送信方法。
【請求項１５】
前記配置ステップでは、前記ＰＮ系列として、サブキャリア数からＤＣサブキャリアを除いた長さと同じ長さのＭ系列を用い、当該Ｍ系列の配列パターンにサブキャリアの配列を対応させて、当該Ｍ系列のビット０の位置に対応するサブキャリアに前記プリアンブル系列信号を配置する、
請求項１３に記載の無線送信方法。
【発明の詳細な説明】
【技術分野】
【０００１】
本発明は、無線送信装置及び無線送信方法に関し、特にプリアンブルの送信の仕方に関する。
【背景技術】
【０００２】
携帯電話機等に代表される無線セルラシステムにおいては、携帯端末(UE)は、セルラ網にアクセスするために、まず基地局(Node-B)にプリアンブル（Preamble）と呼ばれる既知信号を送信する。プリアンブルには、主に２つの役割がある。１つはその基地局がカバーするエリア(セル)における携帯端末を識別することで、もう１つはその携帯端末の送信タイミングずれを検出することである。【０００３】
送信タイミング検出は、携帯端末の送信タイミング調整を携帯端末単独で行うことが難しいため、基地局で行う必要がある。これについて説明する。【０００４】
フレーム等の時間的単位で区切られて動作するセルラシステムの場合、上り回線においては、各携帯端末からの送信信号が基地局で定められたタイミングで受信されることが求められる。【０００５】
しかしながら、セルラシステムと各携帯端末との距離は一定でないため、基地局での受信時のタイミングは同時にはならない。なぜなら、移動体通信システムでは、基地局から下り回線で周期的にパイロット信号や制御信号が送信されているので、下り回線の信号を基準に送信タイミングを決めることができるが、基地局から各携帯端末までに到達する時間と各携帯端末から基地局までに到達する時間のそれぞれが、基地局と各携帯端末との距離に比例して異なるために、結果的に基地局での受信タイミングが異なってしまうからである。【０００６】
携帯端末が単独で基地局と自らの電波伝搬遅延時間を正確に測定し送信タイミングを調整することは困難であるため、基地局がプリアンブルを受信することで、受信タイミングのずれを検出し、受信タイミングずれに応じた送信タイミング補正を各携帯端末に通知する。このようにして、送信タイミングの補正(送信タイムアライメント)が行われる。【０００７】
ところで、プリアンブルは、携帯端末がセルラ網にアクセスするために最初に送信する信号という性格上、基地局はいつプリアンブルを受信するか分からない。各携帯端末が下り回線信号を基準にプリアンブル送信タイミングを決定することで、プリアンブルの受信範囲をある程度の範囲に収めることはできるが、それでも基地局は各携帯端末との伝搬遅延差に基づくずれは考慮して受信する必要がある。【０００８】
基地局では、受信が想定される全てのプリアンブル信号の時間波形レプリカと受信信号との相関を常に（あるいは受信タイミングずれを考慮した範囲の全てで）とることで、プリアンブルの検出を行う。プリアンブルが検出できた場合は、該当する携帯端末にプリアンブルを検出したことと、送信タイミング補正値とを通知する。
【非特許文献１】3GPP TS 36.211 V8.0.0 (2007-09) “3rd Generation Partnership Project; Technical Specification Group Radio Access Network; Evolved Universal Terrestrial Radio Access (E-UTRA); Physical channels and modulation (Release 8)”, 5.7 Physical random access channel.
【非特許文献２】日本シミュレーション学会技術研究報告 JSST-MM2007-20, "Random access burst design and evaluation in Evolved-UTRA”, DaichiIMAMURA, Katsuhiko HIRAMATSU, Tomohumi TAKATA, Takashi IWAI.
【発明の開示】
【発明が解決しようとする課題】
【０００９】
ところで、プリアンブルは、基地局で検出されるまで送信されているかどうかわからないため、プリアンブルの検出が失敗したとしても、基地局から携帯端末にＮＡＣＫのような非検出の状況が通知されることは一般には行われない。【００１０】
そこで、プリアンブルを送信した携帯端末は、送信して所定の時間経過後、基地局から通知がなければプリアンブルの再送を行う。この場合、プリアンブルの送信電力を大きくすることもよく行われることである。【００１１】
しかしながら、携帯端末からプリアンブルが再送された場合でも、基地局はプリアンブル検出に失敗している時点で、初回のプリアンブルを受信した事実を知らないので、ＨＡＲＱのように初回に受信した信号と合成するということは通常は行われない。【００１２】
このようなことから、携帯端末の消費電力低減、及び、セルラ網への迅速なアクセス開始のためには、基地局が、１回の受信でプリアンブルを正確に検出することが求められる。【００１３】
本発明は、かかる点を考慮してなされたものであり、プリアンブルの受信特性を改善させることができる無線送信装置及び無線送信方法を提供する。
【課題を解決するための手段】
【００１４】
本発明の無線送信装置の一つの態様は、プリアンブル系列信号を生成するプリアンブル系列生成手段と、複数のアンテナを用いて、前記プリアンブル系列信号を重み付けベクトルによって重み付けする重み付け手段と、前記重み付けされた信号をランダムなサブキャリア間隔で配置する配置手段と、を具備する構成を採る。
【発明の効果】
【００１５】
本発明によれば、等間隔なサブキャリアの組合せが減るので、ＯＦＤＭシンボル内の時間軸での周期性を減少させることができる。この結果、時間領域における相関値で、サイドローブが出ないようなるため、プリアンブルの受信特性が改善し、プリアンブルに基づくタイミング検出精度が向上する。
【図面の簡単な説明】
【００１６】
【図１】タイミング検出誤りの原因の説明に供する図
【図２】図２Ａはプリアンブルを配置するサブキャリアを示す図、図２Ｂは時間領域での自己相関特性を示す図
【図３】図３Ａはプリアンブルを配置するサブキャリアを示す図、図３Ｂは時間領域での自己相関特性を示す図
【図４】図４Ａはプリアンブルを配置するサブキャリアを示す図、図４Ｂは時間領域での自己相関特性を示す図
【図５】図５Ａはプリアンブルを配置するサブキャリアを示す図、図５Ｂは時間領域での自己相関特性を示す図
【図６】本発明の実施の形態１における、サブキャリアへのプリアンブルの配置パターンを示す図
【図７】図６のプリアンブル配置パターンを用いた場合の、時間領域での自己相関特性を示す図
【図８】送信装置の構成例を示すブロック図
【図９】受信装置の構成例を示すブロック図
【図１０】送信装置の構成例を示すブロック図
【図１１】図１１Ａ〜図１１Ｅは、実施の形態２における、サブキャリアへのプリアンブルの配置パターンを示す図
【図１２】図１１のプリアンブル配置パターンを用いた場合の、時間領域での自己相関特性を示す図
【図１３】図１３Ａ及び図１３Ｂは、実施の形態３における、サブキャリアへのプリアンブルの配置パターンを示す図
【図１４】図１３のプリアンブル配置パターンを用いた場合の、時間領域での自己相関特性を示す図
【図１５】実施の形態４における、送信アンテナが２本の場合のサブキャリアへのプリアンブルの配置パターンを示す図
【図１６】実施の形態４における、送信アンテナが１本の場合のサブキャリアへのプリアンブルの配置パターンを示す図
【図１７】図１７ＡはＰＶＳで用いるプリコーディング重みの例を示す図、図１７Ｂはアンテナ配置を示す図
【図１８】ＰＶＳにおける一般的なプリアンブル配置を示す図
【図１９】実施の形態５における、ＰＶＳでのプリアンブル配置例を示す図
【発明を実施するための最良の形態】
【００１７】
以下、本発明の実施の形態について図面を参照して詳細に説明する。（１）ダイバーシチ送信の検討
先ず、本発明の実施の形態を説明する前に、本発明に至った過程について説明する。【００１８】
例えば次世代の移動体通信システムとして検討されているＩＭＴ−Ａｄｖａｎｃｅｄでは、複数の周波数単位(サブキャリア)の集合によって回線を構築するＯＦＤＭＡ（Orthogonal Frequency Division Multiplexing Access）や、ＳＣ−ＦＤＭＡ(Single-Carrier Frequency Division Multiple Access)などのアクセス方式が、上り回線に適用されることが考えられる。以下の実施の形態では、主に、携帯端末が周波数(サブキャリア)方向にプリアンブル系列を配置したＯＦＤＭあるいはＳＣＦＤＭ信号をプリアンブル信号として送信することを想定する。【００１９】
また、発明者らは、プリアンブルの受信特性(検出性能)を向上させるために、携帯端末が複数の送信アンテナを用いてダイバーシチ送信を行うことが好ましいと考えた。【００２０】
また、発明者らは、従来提案されているダイバーシチ送信のうち、ＰＶＳ(Precoding Vector Switching)、ＣＤＤ(Cyclic Delay Diversity)、ＦＳＴＤ(Frequency Switched Transmit Diversity)、ＴＳＴＤ(Frequency Switched Transmit Diversity)を用いることが好ましてと考えた。【００２１】
これは、ＰＶＳ、ＣＤＤ、ＦＳＴＤ、ＴＳＴＤは、プリアンブルを受信する基地局が、各携帯端末の送信アンテナ数がわからなくても、復調可能なダイバーシチ送信だからである。例えば、ＳＴＢＣ(Space-Time Block Code)や、ＳＦＢＣ(Space-Frequency Block Code)などは受信特性が良好な送信ダイバーシチ方法として知られるが、送信アンテナ数や適用する符号が送受信で事前に共有されている必要があるため、プリアンブルの送信には適さないと考えた。【００２２】
さらに、発明者らは、ＰＶＳ、ＣＤＤ、ＦＳＴＤ、ＴＳＴＤのうち、プリアンブル送信に用いる送信ダイバーシチ方法を、１回の受信検出でダイバーシチ効果が得られる方法であるＣＤＤとＦＳＴＤに絞った。ただし、ＣＤＤは狭帯域の場合にかえって特性が悪くなる可能性があると考え、ＦＳＴＤが最も好ましいと考えた。【００２３】
発明者らは、このような検討により、プリアンブルをダイバーシチ送信する場合には、ＦＳＴＤを用いるのが最も好ましいという結論に至った。なお、後述するが、ＦＳＴＤは周波数方向にＰＶＳを適用した場合の一形態と言うことができるので、本発明は、ＦＳＴＤを含むＰＶＳを適用している。【００２４】
（２）使用するサブキャリアの検討
また、発明者らは、プリアンブルを配置するサブキャリアについて検討した。【００２５】
送信ダイバーシチとしてＦＳＴＤを用いる場合、一般に、各送信アンテナでは等間隔のサブキャリアを使用する。例えば、送信アンテナが２本の場合、一方のアンテナからは偶数サブキャリアだけに配置した信号を送信し、他方のアンテナからは奇数サブキャリアだけに配置した信号を送信する。【００２６】
しかしながら、等間隔のサブキャリアを使った波形は、ＯＦＤＭシンボル内に繰り返し波形が現れるので、タイミング検出誤りを起こす。例えば、送信アンテナが２本で、一方のアンテナからは偶数サブキャリアだけにプリアンブルを配置した信号を送信し、他方のアンテナからは奇数サブキャリアだけにプリアンブルを配置した信号を送信した場合について考える。【００２７】
図１に、その様子を示す。図１は、説明を簡単にするために、１本のアンテナのみに着目した図であるが、アンテナ数が２本の場合でも同様である。ただし、アンテナ数を２本にすると、その分だけダイバーシチゲインが得られる。【００２８】
図１に示すように、偶数サブキャリアＳＣ２、ＳＣ４、………にプリアンブルを配置して逆フーリエ変換（ＩＦＦＴ）処理を施すと、ＯＦＤＭシンボルの前半（期間ｔ１〜ｔ２）と後半（期間ｔ２〜ｔ３）が同じ形となる。そのため、受信側でレプリカを用いて相関を検出した場合、主波の相関ピークが２箇所（図中の「正しい検出位置」と「サイドローブ」）に発生してしまうので、タイミング検出誤りを起こす。【００２９】
因みに、ＦＳＴＤでなくても、サブキャリア方向にＰＶＳを等間隔に適用するよう方法の場合でも、同様に複数の相関ピークが発生する。【００３０】
次に、発明者らは、どのようなサブキャリアにプリアンブルを配置した場合に、サイドローブが発生するのかを、詳しく調べた。その様子を、以下の図２、図３、図４、図５に示す。図２Ａ、図３Ａ、図４Ａ、図５Ａは、第１の送信アンテナＴｘ１、第２の送信アンテナＴｘ２のどのサブキャリアにプリアンブルを配置したかを示すものである。図２Ｂ、図３Ｂ、図４Ｂ、図５Ｂは、受信側で得られる自己相関特性を示す。なお、図２Ｂ、図３Ｂ、図４Ｂ、図５Ｂにおける横軸は、１ＯＦＤＭシンボル区間内でのサンプリングポイントを示し、縦軸は、自己相関値を示す。【００３１】
（例１）：図２Ａに示すように、アンテナＴｘ１については、送信帯域の半分は奇数サブキャリア（…, -9, -7,…）に、もう半分は偶数サブキャリア（2, 4,…）にプリアンブルを配置した。同様に、アンテナＴｘ２については、送信帯域の半分は偶数サブキャリア（…, -10, -8, …）に、もう半分は奇数サブキャリア（1, 3, …）にプリアンブルを配置した。この場合、図２Ｂに示すように、シンボルの中央付近に複数のサイドローブが発生した。【００３２】
（例２）：図３Ａに示すように、２サブキャリアずつ交互に、アンテナＴｘ１とアンテナＴｘ２にプリアンブルを配置した。この場合、図３Ｂに示すように、シンボルの中央を挟んで２箇所にサイドローブが発生した。【００３３】
（例３）：図４Ａに示すように、３サブキャリアずつ交互に、アンテナＴｘ１とアンテナＴｘ２にプリアンブルを配置した。この場合、図４Ｂに示すように、シンボルの中央部分と、それを挟んで２箇所にサイドローブが発生した。【００３４】
（例４）：図５Ａに示すように、２サブキャリア単位又は３サブキャリア単位で、アンテナＴｘ１とアンテナＴｘ２にプリアンブルを配置した。この場合、図５Ｂに示すように、シンボルの中央を挟んで２箇所にサイドローブが発生した。【００３５】
発明者らは、以上の実験結果から、使用するサブキャリアとして、等間隔のサブキャリアの割合が多くなると、時間波形の自己相関値において、サイドローブのピーク値が大きくなると考えた。【００３６】
本発明の骨子は、プリアンブルを配置するサブキャリアの間隔をランダム化することである。換言すれば、プリアンブルをできるだけ等間隔のサブキャリアに配置しないことである。これにより、ＯＦＤＭシンボル内の時間軸での周期性を減少させることができるので、受信側で、時間領域でプリアンブル系列の自己相関値を求めた場合に、サイドローブのピーク値が小さくなり、この結果、タイミングの検出誤りを防止できる。【００３７】
（実施の形態１）
図６に、本実施の形態における、ＯＦＤＭ信号のサブキャリアへのプリアンブルの配置パターンを示す。本実施の形態では、プリアンブル系列信号を連続して配置するサブキャリアのパターンを周波数方向で変化させるようになっている。具体的には、第１の送信アンテナＴｘ１から送信する１，２，３，５，６，７，８，１１，………，３６，３８，………番目のサブキャリアにプリアンブルを配置し、第２の送信アンテナＴｘ２から送信する４，９，１０，１２，１３，１４，………，３９，４０，４１，………番目のサブキャリアにプリアンブルを配置する。そして、図６のようにサブキャリアに配置されたプリアンブルは、同一時間にアンテナＴｘ１及びアンテナＴｘ２から送信される。【００３８】
ここで、図６から分かるように、第１のアンテナＴｘ１では、３連続サブキャリア（１，２，３）、４連続サブキャリア（５，６，７，８）、１連続サブキャリア（１１）、４連続サブキャリア（１５，１６，１７，１８）、３連続サブキャリア（２３，２４，２５）、２連続サブキャリア（２８，２９）、２連続サブキャリア（３２，３３）、１連続サブキャリア（３６）、１連続サブキャリア（３８）、………といったように、プリアンブルを連続して配置するサブキャリアのパターンが周波数方向で変化している。【００３９】
同様に、第２のアンテナＴｘ２では、１連続サブキャリア（４）、２連続サブキャリア（９，１０）、３連続サブキャリア（１２，１３，１４）、４連続サブキャリア（１９，２０，２１，２２）、２連続サブキャリア（２６，２７）、２連続サブキャリア（３０，３１）、２連続サブキャリア（３４，３５）、１連続サブキャリア（３７）、３連続サブキャリア（３９，４０，４１）、………といったように、プリアンブルを連続して配置するサブキャリアのパターンが周波数方向で変化している。【００４０】
因みに、図６からも分かるように、送信アンテナＴｘ１でプリアンブルを配置したサブキャリアには送信アンテナＴｘ２ではプリアンブルを配置せず、逆に、送信アンテナＴｘ２でプリアンブルを配置したサブキャリアには送信アンテナＴｘ１ではプリアンブルを配置しない。このように、アンテナ間で相補的にプリアンブルを配置するようになっている。つまり、本実施の形態では、ダイバーシチ送信として、ＦＳＴＤを用いている。【００４１】
図７に、図６のようにプリアンブルを配置した場合の、受信側でのプリアンブルの自己相関特性を示す。図７から分かるように、シンボルの先頭位置で大きなピークが現れる以外は、大きなピークは現れない。よって、タイミングの検出誤りを防止できる。【００４２】
図８に、上述した送信方法を実施するための送信装置の構成例を示す。図８の送信装置は、例えば移動端末に搭載される。なお、図８では、プリアンブル送信に関わる構成のみを示しているが、実際の移動端末には、パイロット信号送信系から構成される制御信号送信系や、符号化部及び変調部等から構成されるデータ送信系等も搭載される。【００４３】
プリアンブル系列生成部１０１で生成されたプリアンブル系列信号は、アンテナＴｘ１及びアンテナＴｘ２の送信アンテナ系列に入力される。因みに、このプリアンブル系列信号は、例えば、端末間で異なるものが生成される。【００４４】
サブキャリア選択部１０３−１、１０３−２は、サブキャリア選択指示部１０２の指示に従って、使用するサブキャリア位置（ＩＦＦＴの入力位置）にプリアンブル系列を配置してＩＦＦＴ１０４−１、１０４−２に出力する。【００４５】
具体的には、サブキャリア選択部１０３−１は、図６のＴｘ１で示されるサブキャリア位置にプリアンブル系列を配置し、サブキャリア選択部１０３−２は、図６のＴｘ２で示されるサブキャリア位置にプリアンブル系列を配置して出力する。【００４６】
ＩＦＦＴ（逆フーリエ変換部）１０４−１、１０４−２は、サブキャリア選択部１０３−１、１０３−２から入力された信号を逆フーリエ変換することで、時間波形信号であるＯＦＤＭ信号を形成する。ＯＦＤＭ信号は、ＲＦ部１０５−１、１０５−２によって無線処理が施された後、アンテナＴｘ１、Ｔｘ２から送信される。【００４７】
図９に、図８の送信装置から送信されたプリアンブルを受信する受信装置の構成例を示す。図９の受信装置は、例えば基地局に搭載される。なお、図９では、プリアンブル受信に関わる構成のみを示しているが、実際の基地局には、復調部及び復号部等から構成されるデータ受信系も搭載される。【００４８】
アンテナＲｘ１で受信された信号は、ＲＦ部２０１によって無線処理された後、プリアンブル相関演算部２０２に入力される。プリアンブルレプリカ生成部２０３は、受信の可能性のあるプリアンブル系列の時間波形レプリカを全て生成又は保持しており、これをプリアンブル相関演算部２０２に供給する。【００４９】
プリアンブル相関演算部２０２は、供給されたプリアンブル系列の時間波形レプリカと受信信号との相関（すなわち自己相関値）を求める。プリアンブル検出判定及び受信タイミング検出部２０４は、プリアンブル相関演算部２０２で得られた自己相関値における閾値以上の相関ピークの有無及び位置に基づいて、どのプリアンブルを検出したかという判定と、そのプリアンブルの受信タイミングのずれを検出する。【００５０】
ここで、上述したプリアンブル配置を用いれば、１ＯＦＤＭシンボル内で、閾値以上のピークが複数発生することを抑制できるので、受信タイミングのずれを誤り無く検出できるようになる。【００５１】
なお、図８では、１つのプリアンブル系列生成部１０１で生成したプリアンブル系列を、アンテナＴｘ１及びアンテナＴｘ２の送信アンテナ系列の両方で用いる場合を示したが、図１０に示すように、アンテナＴｘ１の系列のプリアンブルはプリアンブル系列生成部１０１−１で生成し、アンテナＴｘ２の系列のプリアンブルはプリアンブル系列生成部１０１−２で生成してもよい。つまり、送信アンテナ系列ごとに、個別のプリアンブル系列を送信してもよい。【００５２】
また、受信装置は、図９のように、１本のアンテナで受信してもよいし、複数のアンテナで受信してもよい。【００５３】
以上説明したように、本実施の形態によれば、プリアンブル系列を連続して配置するサブキャリアのパターンを周波数方向で変化させるようにしたことにより、プリアンブル系列をランダムなサブキャリア間隔で配置することができる。これにより、時間領域でプリアンブル系列の自己相関値を求めた場合に、サイドローブのピーク値が小さくなり、この結果、タイミングの検出誤りを防止できる。【００５４】
また、ダイバーシチ送信の方法として、ＦＳＴＤを適用したことにより、１回の受信検出でダイバーシチ効果が得られるので、効率的なプリアンブル送信を実現できる。【００５５】
（実施の形態２）
本実施の形態では、ＰＮ系列と同一パターンのサブキャリアにプリアンブル系列信号を配置することを提示する。本実施の形態では、ＰＮ系列として、特に、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０のいずれかの位置に対応するサブキャリアにプリアンブル系列信号を配置することを提案する。【００５６】
図１１に、Ｇｏｌｄ系列を用いて作成した、プリアンブルのサブキャリアへの配置パターンの例を示す。図１１は、サブキャリア数が６４個の場合の例を示しており、この場合、６４ビットのＧｏｌｄ系列生成し、ビット１とビット０が同数発生するものを採用する。Ｇｏｌｄ系列とサブキャリア配置とを対応させ、Ｇｏｌｄ系列において、ビット＝１となるところのサブキャリア（図中の黒塗りで示したサブキャリア）にプリアンブル系列を配置する。【００５７】
アンテナＴｘ１から送信するサブキャリアのうち、図１１Ａ、図１１Ｂ、図１１Ｃ、図１１Ｄ又は図１１Ｅの黒塗りで示したサブキャリアにプリアンブル系列を配置する。そして、アンテナＴｘ２から送信するサブキャリアについては、アンテナＴｘ１でプリアンブル系列を配置しなかったサブキャリアにプリアンブル系列を配置すればよい。【００５８】
このような操作は、図８のサブキャリア選択指示部１０２でＧｏｌｄ系列を生成し、サブキャリア選択部１０３−１、１０３−２でそれに基づくサブキャリア選択を行えばよい。【００５９】
図１２に、図１１Ａ、図１１Ｂ、図１１Ｃ、図１１Ｄ又は図１１Ｅで示したサブキャリア配置を適用した場合の、受信側でのプリアンブルの自己相関特性を示す。図１２から分かるように、シンボルの先頭位置で大きなピークが現れる以外は、大きなピークは現れない。よって、タイミングの検出誤りを防止できる。【００６０】
加えて、図１１のパターンｐ１〜ｐ５間での相互相関特性も非常に小さく抑えられるので、例えばパターンｐ１〜ｐ５を異なるセルのプリアンブル配置に適用した場合等に、セル間の干渉を抑制する効果を得ることもできる。【００６１】
（実施の形態３）
本実施の形態では、ＰＮ系列として、特に、サブキャリア数からＤＣ（直流）サブキャリアを除いた長さと同じ長さのＭ系列を用い、当該Ｍ系列の配列パターンにサブキャリアの配列を対応させて、当該Ｍ系列のビット０の位置に対応するサブキャリアにプリアンブル系列を配置することを提案する。【００６２】
図１３に、Ｍ系列を用いて作成した、プリアンブルのサブキャリアへの配置パターンの例を示す。Ｍ系列とサブキャリア配置とを対応させ、Ｍ系列において、ビット＝０となるところのサブキャリア（図中の黒塗りで示したサブキャリア）にプリアンブル系列を配置する。【００６３】
アンテナＴｘ１から送信するサブキャリアのうち、図１３Ａ又は図１３Ｂの黒塗りで示したサブキャリアにプリアンブル系列を配置する。そして、アンテナＴｘ２から送信するサブキャリアについては、アンテナＴｘ１でプリアンブル系列を配置しなかったサブキャリアにプリアンブル系列を配置すればよい。【００６４】
このような操作は、図８のサブキャリア選択指示部１０２でＭ系列を生成し、サブキャリア選択部１０３−１、１０３−２でそれに基づくサブキャリア選択を行えばよい。【００６５】
図１４に、図１３Ａ又は図１３Ｂで示したサブキャリア配置を適用した場合の、受信側でのプリアンブルの自己相関特性を示す。図１４から分かるように、シンボルの先頭位置で大きなピークが現れる以外は、大きなピークは現れない。よって、タイミングの検出誤りを防止できる。【００６６】
加えて、図１３のパターンｐ１、ｐ２間での相互相関特性も非常に小さく抑えられるので、例えばパターンｐ１、ｐ２を異なるセルのプリアンブル配置に適用した場合等に、セル間の干渉を抑制する効果を得ることもできる。【００６７】
ところで、ＯＦＤＭでは、中心のサブキャリアはＤＣオフセットの影響を受けるため使用されないことが多い。Ｍ系列は、系列長が２ｎ−１（ｎ：自然数）なので、ＤＣサブキャリアを使用しないＯＦＤＭのサブキャリアにマッチしやすい。また、Ｍ系列は、ビット０とビット１がほぼ同数（ビット０が必ずビット１より１個少ない）なので、Ｇｏｌｄ系列のようにビット１とビット０が同数発生する系列を選択するという手間がなく、複数アンテナ間で同数のプリアンブルをサブキャリアに配置するのに適している。【００６８】
（実施の形態４）
本実施の形態では、受信側で、送信アンテナの本数を判別し得る、プリアンブルの配置の仕方について説明する。【００６９】
図１５及び図１６に示すように、送信アンテナの数に応じて、プリアンブルを配置するサブキャリアをシフトさせることで、受信側で、送信アンテナの本数を判別できるようになる。【００７０】
図１５は、送信アンテナ数が２本の場合の、サブキャリアへのプリアンブル配置パターンを示し、図６で説明したのと同様の配置となっている。一方、図１６は、送信アンテナが１本の場合のサブキャリアへのプリアンブル配置パターンを示す。図１６のプリアンブル配置パターンは、図１５のプリアンブル配置パターンと比較して、プリアンブルが１サブキャリア分だけシフトさせたサブキャリアに配置されている。【００７１】
このようにすることで、同じプリアンブル系列を用いた場合でも、送信アンテナの本数に応じて時間波形が異なるので、受信側で送信アンテナの本数に応じた複数のレプリカを用意しておくことで、送信アンテナの本数を判別できるようになる。【００７２】
因みに、送信アンテナ数が判別できると、各送信アンテナの回線推定を行うことができ、次に携帯端末から送信されてくる信号（例えばランダムアクセス信号）の回線補償に用いることができる。【００７３】
（実施の形態５）
上述した実施の形態１〜４では、本発明をＦＳＴＤに適用する場合について説明したが、本発明はプリアンブルを周波数方向にＰＶＳ(Precoding Vector Switching)した場合にも適用できる。この場合、周波数方向にプリコーディングベクトル処理を施す範囲を、実施の形態１〜４のプリアンブル配置パターンを選択したのと同様に決定すればよい。【００７４】
図１７に、送信アンテナが２本の場合に、ＰＶＳで用いるプリコーディング重みの例を示す。図１７Ａにおいて、重み１は２本とも同じ位相で送信することを示しており、重み２は２本目の送信アンテナからの信号を１本目の送信アンテナの逆相で送信することを示している。【００７５】
図１８に、ＰＶＳを周波数方向に適用した場合の概略図を示す。奇数サブキャリアと偶数サブキャリアで同じプリアンブル系列を配置し、奇数サブキャリアに同相の重みづけを行い、偶数サブキャリアに逆相の重み付けを行うようになっている。この場合、基地局（受信側）でプリアンブルの相関をとるときに、奇数サブキャリアだけで作成したレプリカと偶数サブキャリアだけで作成したレプリカとを用いて相関演算を行うことになるので、正しい検出位置以外のサイドローブが発生することになる。【００７６】
図１９に、ＰＶＳをかけつつサイドローブを抑圧する、本実施の形態の重み配置の例を示す。重み配置のパターンは、実施の形態１と同様であり、実施の形態１の送信アンテナＴｘ１でプリアンブルを配置したサブキャリアに重み１を、送信アンテナＴｘ２でプリアンブルを配置したサブキャリアに重み２を適用している。これにより、実施の形態１の効果と同様に、タイミングの検出誤りを防止できるといった効果を得ることができる。【００７７】
なお、実施の形態１〜４のＦＳＴＤは周波数方向にＰＶＳを適用した場合の一形態ということもできる。周波数方向にＰＶＳを適用する場合を一般的に表現すると、重み［Ｔｘ１，Ｔｘ２］として、［ａ１，ａ２］と［ｂ１，ａ２］を用いていると言うことができる。本実施の形態では具体例の一つとして、［１，１］，［１，−１］を用いた場合について説明した。ＦＳＴＤの場合は、重みとして［１，０］，［０，１］を用いるのと等価である。【００７８】
つまり、実施の形態１〜５で説明した方法は、プリアンブル系列信号を生成し、複数のアンテナを用いて、前記プリアンブル系列信号を重み付けベクトルによって重み付けし、重み付けされた信号をランダムなサブキャリア間隔で配置していると言うことができる。例えば、図８の構成では、サブキャリア選択指示部１０２及びサブキャリア選択部１０３−１、１０３−２が、サブキャリア配置手段としての機能に加えて、重み付け手段としての機能も果たしていると言うことができる。【００７９】
さらに、実施の形態１〜５で説明した方法は、重み付け手段によって、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、配置手段によって、前記第１の重み付け後の信号と前記第２の重み付け後の信号とをそれぞれランダムなサブキャリア間隔で配置し、かつ前記第１の重み付け後の信号と前記第２の重み付け後の信号が配置されるサブキャリアが重複しないように配置しているということができる。なお、ＦＳＴＤは、重みベクトルとして、重みが０を含んだものを用いた場合であるということができる。【００８０】
（他の実施の形態）
なお、上述した実施の形態では、送信アンテナが２本の場合で説明したが、上述したプリアンブルの送信方法は、２本よりも多い送信アンテナを用いてプリアンブルを送信する場合にも適用することができる。例えばプリアンブルを送信する送信アンテナが４本の場合は、先ず、上述した実施の形態で説明したように、プリアンブルを配置するサブキャリアをＰＮ系列で２分割し、次に、２分割後のプリアンブル配置に再びＰＮ系列を乗じて２分割すれば、４分割したプリアンブル配置、すなわち４本の送信アンテナ分のプリアンブル配置を作成することができる。これにより、各送信アンテナから送信されるプリアンブルの時間波形において、自己相関特性にサイドローブが出ないようにすることができる。【００８１】
また、上述した実施の形態では、ダイバーシチ送信の方法として、ＦＳＴＤを用いた場合について説明したが、本発明の送信方法はこれに限らず、例えば１本のアンテナからプリアンブル系列を送信する場合に適用した場合でも、上述した実施の形態と同様の効果を得ることができる。ただし、実施の形態２、３、４のＧｏｌｄ系列及びＭ系列パターンを用いたプリアンブル配置は、両方の送信アンテナに同数のプリアンブルをランダムに配置できるので、ＦＳＴＤを用いた場合に特に効果的である。【００８２】
上記各実施の形態では、本発明をハードウェアで構成する場合を例にとって説明したが、本発明はソフトウェアで実現することも可能である。【００８３】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００８４】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【００８５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。【００８６】
２００８年１月１５日出願の特願２００８−００５９９６の日本出願に含まれる明細書、図面及び要約書の開示内容は、すべて本願に援用される。
【産業上の利用可能性】
【００８７】
本発明は、プリアンブルに基づくタイミング検出精度が向上するといった効果を有し、例えば携帯端末に適用して好適である。
【図１】
2009090869.tif 000003
【図２】
2009090869.tif 000004
【図３】
2009090869.tif 000005
【図４】
2009090869.tif 000006
【図５】
2009090869.tif 000007
【図６】
2009090869.tif 000008
【図７】
2009090869.tif 000009
【図８】
2009090869.tif 000010
【図９】
2009090869.tif 000011
【図１０】
2009090869.tif 000012
【図１１】
2009090869.tif 000013
【図１２】
2009090869.tif 000014
【図１３】
2009090869.tif 000015
【図１４】
2009090869.tif 000016
【図１５】
2009090869.tif 000017
【図１６】
2009090869.tif 000018
【図１７】
2009090869.tif 000019
【図１８】
2009090869.tif 000020
【図１９】
2009090869.tif 000021
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
プリアンブル系列信号を生成するプリアンブル系列生成手段と、
複数のアンテナを用いて、前記プリアンブル系列信号を重み付けベクトルによって重み付けする重み付け手段と、
前記重み付けされた信号をランダムなサブキャリア間隔で配置する配置手段と、
を具備する無線送信装置。
【請求項２】
前記重み付け手段は、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、
前記配置手段は、前記第１の重み付け後の信号と前記第２の重み付け後の信号とをそれぞれランダムなサブキャリア間隔で配置し、かつ前記第１の重み付け後の信号と前記第２の重み付け後の信号が配置されるサブキャリアが重複しないように配置する、
請求項１に記載の無線送信装置。
【請求項３】
前記重み付けベクトルは、重みが０のものを含む
請求項１に記載の無線送信装置。
【請求項４】
前記配置手段は、前記プリアンブル系列信号を連続して配置するサブキャリアのパターンを周波数方向で変化させる、
請求項１に記載の無線送信装置。
【請求項５】
前記配置手段は、ＰＮ系列と同一パターンのサブキャリアに前記プリアンブル系列信号を配置する、
請求項１に記載の無線送信装置。
【請求項６】
前記配置手段は、前記ＰＮ系列として、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０の位置のいずれかに対応するサブキャリアに前記プリアンブル系列信号を配置する、
請求項５に記載の無線送信装置。
【請求項７】
前記配置手段は、前記ＰＮ系列として、サブキャリア数からＤＣサブキャリアを除いた長さと同じ長さのＭ系列を用い、当該Ｍ系列の配列パターンにサブキャリアの配列を対応させて、当該Ｍ系列のビット０の位置に対応するサブキャリアに前記プリアンブル系列信号を配置する、
請求項５に記載の無線送信装置。
【請求項８】
前記配置手段は、送信アンテナ数に応じて、前記プリアンブル系列信号を配置するサブキャリアを周波数方向にシフトさせる、
請求項１に記載の無線送信装置。
【請求項９】
プリアンブル系列信号を生成するプリアンブル系列生成ステップと、
複数のアンテナを用いて、前記プリアンブル系列信号を重み付けベクトルによって重み付けする重み付けステップと、
前記重み付けされた信号をランダムなサブキャリア間隔で配置する配置ステップと、
を含む無線送信方法。
【請求項１０】
前記重み付けステップでは、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、
前記配置ステップでは、前記第１の重み付け後の信号と前記第２の重み付け後の信号とをそれぞれランダムなサブキャリア間隔で配置し、かつ前記第１の重み付け後の信号と前記第２の重み付け後の信号が配置されるサブキャリアが重複しないように配置する、
請求項９に記載の無線送信方法。
【請求項１１】
前記重み付けベクトルは、重みが０のものを含む
請求項９に記載の無線送信方法。
【請求項１２】
前記配置ステップでは、前記プリアンブル系列信号を連続して配置するサブキャリアのパターンを周波数方向で変化させる、
請求項９に記載の無線送信方法。
【請求項１３】
前記配置ステップでは、ＰＮ系列と同一パターンのサブキャリアに前記プリアンブル系列信号を配置する、
請求項９に記載の無線送信方法。
【請求項１４】
前記配置ステップでは、前記ＰＮ系列として、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０の位置のいずれかに対応するサブキャリアに前記プリアンブル系列信号を配置する、
請求項１３に記載の無線送信方法。
【請求項１５】
前記配置ステップでは、前記ＰＮ系列として、サブキャリア数からＤＣサブキャリアを除いた長さと同じ長さのＭ系列を用い、当該Ｍ系列の配列パターンにサブキャリアの配列を対応させて、当該Ｍ系列のビット０の位置に対応するサブキャリアに前記プリアンブル系列信号を配置する、
請求項１３に記載の無線送信方法。
【手続補正２】
【補正対象書類名】明細書
【補正対象項目名】全文
【補正方法】変更
【補正の内容】
【発明の詳細な説明】
【技術分野】
【０００１】
本発明は、無線送信装置及び無線送信方法に関し、特にプリアンブルの送信の仕方に関する。
【背景技術】
【０００２】
携帯電話機等に代表される無線セルラシステムにおいては、携帯端末(UE)は、セルラ網にアクセスするために、まず基地局(Node-B)にプリアンブル（Preamble）と呼ばれる既知信号を送信する。プリアンブルには、主に２つの役割がある。１つはその基地局がカバーするエリア(セル)における携帯端末を識別することで、もう１つはその携帯端末の送信タイミングずれを検出することである。
【０００３】
送信タイミング検出は、携帯端末の送信タイミング調整を携帯端末単独で行うことが難しいため、基地局で行う必要がある。これについて説明する。
【０００４】
フレーム等の時間的単位で区切られて動作するセルラシステムの場合、上り回線においては、各携帯端末からの送信信号が基地局で定められたタイミングで受信されることが求められる。
【０００５】
しかしながら、セルラシステムと各携帯端末との距離は一定でないため、基地局での受信時のタイミングは同時にはならない。なぜなら、移動体通信システムでは、基地局から下り回線で周期的にパイロット信号や制御信号が送信されているので、下り回線の信号を基準に送信タイミングを決めることができるが、基地局から各携帯端末までに到達する時間と各携帯端末から基地局までに到達する時間のそれぞれが、基地局と各携帯端末との距離に比例して異なるために、結果的に基地局での受信タイミングが異なってしまうからである。
【０００６】
携帯端末が単独で基地局と自らの電波伝搬遅延時間を正確に測定し送信タイミングを調整することは困難であるため、基地局がプリアンブルを受信することで、受信タイミングのずれを検出し、受信タイミングずれに応じた送信タイミング補正を各携帯端末に通知する。このようにして、送信タイミングの補正(送信タイムアライメント)が行われる。
【０００７】
ところで、プリアンブルは、携帯端末がセルラ網にアクセスするために最初に送信する信号という性格上、基地局はいつプリアンブルを受信するか分からない。各携帯端末が下り回線信号を基準にプリアンブル送信タイミングを決定することで、プリアンブルの受信範囲をある程度の範囲に収めることはできるが、それでも基地局は各携帯端末との伝搬遅延差に基づくずれは考慮して受信する必要がある。
【０００８】
基地局では、受信が想定される全てのプリアンブル信号の時間波形レプリカと受信信号との相関を常に（あるいは受信タイミングずれを考慮した範囲の全てで）とることで、プリアンブルの検出を行う。プリアンブルが検出できた場合は、該当する携帯端末にプリアンブルを検出したことと、送信タイミング補正値とを通知する。
【非特許文献１】3GPP TS 36.211 V8.0.0 (2007-09) “3rd Generation Partnership Project; Technical Specification Group Radio Access Network; Evolved Universal Terrestrial Radio Access (E-UTRA); Physical channels and modulation (Release 8)”, 5.7 Physical random access channel.
【非特許文献２】日本シミュレーション学会技術研究報告 JSST-MM2007-20, "Random access burst design and evaluation in Evolved-UTRA”, DaichiIMAMURA, Katsuhiko HIRAMATSU, Tomohumi TAKATA, Takashi IWAI.
【発明の開示】
【発明が解決しようとする課題】
【０００９】
ところで、プリアンブルは、基地局で検出されるまで送信されているかどうかわからないため、プリアンブルの検出が失敗したとしても、基地局から携帯端末にＮＡＣＫのような非検出の状況が通知されることは一般には行われない。
【００１０】
そこで、プリアンブルを送信した携帯端末は、送信して所定の時間経過後、基地局から通知がなければプリアンブルの再送を行う。この場合、プリアンブルの送信電力を大きくすることもよく行われることである。
【００１１】
しかしながら、携帯端末からプリアンブルが再送された場合でも、基地局はプリアンブル検出に失敗している時点で、初回のプリアンブルを受信した事実を知らないので、ＨＡＲＱのように初回に受信した信号と合成するということは通常は行われない。
【００１２】
このようなことから、携帯端末の消費電力低減、及び、セルラ網への迅速なアクセス開始のためには、基地局が、１回の受信でプリアンブルを正確に検出することが求められる。
【００１３】
本発明は、かかる点を考慮してなされたものであり、プリアンブルの受信特性を改善させることができる無線送信装置及び無線送信方法を提供する。
【課題を解決するための手段】
【００１４】
本発明の無線送信装置の一つの態様は、プリアンブル系列信号を生成するプリアンブル系列生成手段と、複数のアンテナを用いて、前記プリアンブル系列信号を重み付けベクトルによって重み付けする重み付け手段と、前記重み付けされた信号をランダムなサブキャリア間隔で配置する配置手段と、を具備する構成を採る。
【発明の効果】
【００１５】
本発明によれば、等間隔なサブキャリアの組合せが減るので、ＯＦＤＭシンボル内の時間軸での周期性を減少させることができる。この結果、時間領域における相関値で、サイドローブが出ないようなるため、プリアンブルの受信特性が改善し、プリアンブルに基づくタイミング検出精度が向上する。
【発明を実施するための最良の形態】
【００１６】
以下、本発明の実施の形態について図面を参照して詳細に説明する。
（１）ダイバーシチ送信の検討
先ず、本発明の実施の形態を説明する前に、本発明に至った過程について説明する。
【００１７】
例えば次世代の移動体通信システムとして検討されているＩＭＴ−Ａｄｖａｎｃｅｄでは、複数の周波数単位(サブキャリア)の集合によって回線を構築するＯＦＤＭＡ（Orthogonal Frequency Division Multiplexing Access）や、ＳＣ−ＦＤＭＡ(Single-Carrier Frequency Division Multiple Access)などのアクセス方式が、上り回線に適用されることが考えられる。以下の実施の形態では、主に、携帯端末が周波数(サブキャリア)方向にプリアンブル系列を配置したＯＦＤＭあるいはＳＣＦＤＭ信号をプリアンブル信号として送信することを想定する。
【００１８】
また、発明者らは、プリアンブルの受信特性(検出性能)を向上させるために、携帯端末が複数の送信アンテナを用いてダイバーシチ送信を行うことが好ましいと考えた。
【００１９】
また、発明者らは、従来提案されているダイバーシチ送信のうち、ＰＶＳ(Precoding Vector Switching)、ＣＤＤ(Cyclic Delay Diversity)、ＦＳＴＤ(Frequency Switched Transmit Diversity)、ＴＳＴＤ(Frequency Switched Transmit Diversity)を用いることが好ましてと考えた。
【００２０】
これは、ＰＶＳ、ＣＤＤ、ＦＳＴＤ、ＴＳＴＤは、プリアンブルを受信する基地局が、各携帯端末の送信アンテナ数がわからなくても、復調可能なダイバーシチ送信だからである。例えば、ＳＴＢＣ(Space-Time Block Code)や、ＳＦＢＣ(Space-Frequency Block Code)などは受信特性が良好な送信ダイバーシチ方法として知られるが、送信アンテナ数や適用する符号が送受信で事前に共有されている必要があるため、プリアンブルの送信には適さないと考えた。
【００２１】
さらに、発明者らは、ＰＶＳ、ＣＤＤ、ＦＳＴＤ、ＴＳＴＤのうち、プリアンブル送信に用いる送信ダイバーシチ方法を、１回の受信検出でダイバーシチ効果が得られる方法であるＣＤＤとＦＳＴＤに絞った。ただし、ＣＤＤは狭帯域の場合にかえって特性が悪くな
る可能性があると考え、ＦＳＴＤが最も好ましいと考えた。
【００２２】
発明者らは、このような検討により、プリアンブルをダイバーシチ送信する場合には、ＦＳＴＤを用いるのが最も好ましいという結論に至った。なお、後述するが、ＦＳＴＤは周波数方向にＰＶＳを適用した場合の一形態と言うことができるので、本発明は、ＦＳＴＤを含むＰＶＳを適用している。
【００２３】
（２）使用するサブキャリアの検討
また、発明者らは、プリアンブルを配置するサブキャリアについて検討した。
【００２４】
送信ダイバーシチとしてＦＳＴＤを用いる場合、一般に、各送信アンテナでは等間隔のサブキャリアを使用する。例えば、送信アンテナが２本の場合、一方のアンテナからは偶数サブキャリアだけに配置した信号を送信し、他方のアンテナからは奇数サブキャリアだけに配置した信号を送信する。
【００２５】
しかしながら、等間隔のサブキャリアを使った波形は、ＯＦＤＭシンボル内に繰り返し波形が現れるので、タイミング検出誤りを起こす。例えば、送信アンテナが２本で、一方のアンテナからは偶数サブキャリアだけにプリアンブルを配置した信号を送信し、他方のアンテナからは奇数サブキャリアだけにプリアンブルを配置した信号を送信した場合について考える。
【００２６】
図１に、その様子を示す。図１は、説明を簡単にするために、１本のアンテナのみに着目した図であるが、アンテナ数が２本の場合でも同様である。ただし、アンテナ数を２本にすると、その分だけダイバーシチゲインが得られる。
【００２７】
図１に示すように、偶数サブキャリアＳＣ２、ＳＣ４、………にプリアンブルを配置して逆フーリエ変換（ＩＦＦＴ）処理を施すと、ＯＦＤＭシンボルの前半（期間ｔ１〜ｔ２）と後半（期間ｔ２〜ｔ３）が同じ形となる。そのため、受信側でレプリカを用いて相関を検出した場合、主波の相関ピークが２箇所（図中の「正しい検出位置」と「サイドローブ」）に発生してしまうので、タイミング検出誤りを起こす。
【００２８】
因みに、ＦＳＴＤでなくても、サブキャリア方向にＰＶＳを等間隔に適用するよう方法の場合でも、同様に複数の相関ピークが発生する。
【００２９】
次に、発明者らは、どのようなサブキャリアにプリアンブルを配置した場合に、サイドローブが発生するのかを、詳しく調べた。その様子を、以下の図２、図３、図４、図５に示す。図２Ａ、図３Ａ、図４Ａ、図５Ａは、第１の送信アンテナＴｘ１、第２の送信アンテナＴｘ２のどのサブキャリアにプリアンブルを配置したかを示すものである。図２Ｂ、図３Ｂ、図４Ｂ、図５Ｂは、受信側で得られる自己相関特性を示す。なお、図２Ｂ、図３Ｂ、図４Ｂ、図５Ｂにおける横軸は、１ＯＦＤＭシンボル区間内でのサンプリングポイントを示し、縦軸は、自己相関値を示す。
【００３０】
（例１）：図２Ａに示すように、アンテナＴｘ１については、送信帯域の半分は奇数サブキャリア（…, -9, -7,…）に、もう半分は偶数サブキャリア（2, 4,…）にプリアンブルを配置した。同様に、アンテナＴｘ２については、送信帯域の半分は偶数サブキャリア（…, -10, -8, …）に、もう半分は奇数サブキャリア（1, 3, …）にプリアンブルを配置した。この場合、図２Ｂに示すように、シンボルの中央付近に複数のサイドローブが発生した。
【００３１】
（例２）：図３Ａに示すように、２サブキャリアずつ交互に、アンテナＴｘ１とアンテ
ナＴｘ２にプリアンブルを配置した。この場合、図３Ｂに示すように、シンボルの中央を挟んで２箇所にサイドローブが発生した。
【００３２】
（例３）：図４Ａに示すように、３サブキャリアずつ交互に、アンテナＴｘ１とアンテナＴｘ２にプリアンブルを配置した。この場合、図４Ｂに示すように、シンボルの中央部分と、それを挟んで２箇所にサイドローブが発生した。
【００３３】
（例４）：図５Ａに示すように、２サブキャリア単位又は３サブキャリア単位で、アンテナＴｘ１とアンテナＴｘ２にプリアンブルを配置した。この場合、図５Ｂに示すように、シンボルの中央を挟んで２箇所にサイドローブが発生した。
【００３４】
発明者らは、以上の実験結果から、使用するサブキャリアとして、等間隔のサブキャリアの割合が多くなると、時間波形の自己相関値において、サイドローブのピーク値が大きくなると考えた。
【００３５】
本発明の骨子は、プリアンブルを配置するサブキャリアの間隔をランダム化することである。換言すれば、プリアンブルをできるだけ等間隔のサブキャリアに配置しないことである。これにより、ＯＦＤＭシンボル内の時間軸での周期性を減少させることができるので、受信側で、時間領域でプリアンブル系列の自己相関値を求めた場合に、サイドローブのピーク値が小さくなり、この結果、タイミングの検出誤りを防止できる。
【００３６】
（実施の形態１）
図６に、本実施の形態における、ＯＦＤＭ信号のサブキャリアへのプリアンブルの配置パターンを示す。本実施の形態では、プリアンブル系列信号を連続して配置するサブキャリアのパターンを周波数方向で変化させるようになっている。具体的には、第１の送信アンテナＴｘ１から送信する１，２，３，５，６，７，８，１１，………，３６，３８，………番目のサブキャリアにプリアンブルを配置し、第２の送信アンテナＴｘ２から送信する４，９，１０，１２，１３，１４，………，３９，４０，４１，………番目のサブキャリアにプリアンブルを配置する。そして、図６のようにサブキャリアに配置されたプリアンブルは、同一時間にアンテナＴｘ１及びアンテナＴｘ２から送信される。
【００３７】
ここで、図６から分かるように、第１のアンテナＴｘ１では、３連続サブキャリア（１，２，３）、４連続サブキャリア（５，６，７，８）、１連続サブキャリア（１１）、４連続サブキャリア（１５，１６，１７，１８）、３連続サブキャリア（２３，２４，２５）、２連続サブキャリア（２８，２９）、２連続サブキャリア（３２，３３）、１連続サブキャリア（３６）、１連続サブキャリア（３８）、………といったように、プリアンブルを連続して配置するサブキャリアのパターンが周波数方向で変化している。
【００３８】
同様に、第２のアンテナＴｘ２では、１連続サブキャリア（４）、２連続サブキャリア（９，１０）、３連続サブキャリア（１２，１３，１４）、４連続サブキャリア（１９，２０，２１，２２）、２連続サブキャリア（２６，２７）、２連続サブキャリア（３０，３１）、２連続サブキャリア（３４，３５）、１連続サブキャリア（３７）、３連続サブキャリア（３９，４０，４１）、………といったように、プリアンブルを連続して配置するサブキャリアのパターンが周波数方向で変化している。
【００３９】
因みに、図６からも分かるように、送信アンテナＴｘ１でプリアンブルを配置したサブキャリアには送信アンテナＴｘ２ではプリアンブルを配置せず、逆に、送信アンテナＴｘ２でプリアンブルを配置したサブキャリアには送信アンテナＴｘ１ではプリアンブルを配置しない。このように、アンテナ間で相補的にプリアンブルを配置するようになっている。つまり、本実施の形態では、ダイバーシチ送信として、ＦＳＴＤを用いている。
【００４０】
図７に、図６のようにプリアンブルを配置した場合の、受信側でのプリアンブルの自己相関特性を示す。図７から分かるように、シンボルの先頭位置で大きなピークが現れる以外は、大きなピークは現れない。よって、タイミングの検出誤りを防止できる。
【００４１】
図８に、上述した送信方法を実施するための送信装置の構成例を示す。図８の送信装置は、例えば移動端末に搭載される。なお、図８では、プリアンブル送信に関わる構成のみを示しているが、実際の移動端末には、パイロット信号送信系から構成される制御信号送信系や、符号化部及び変調部等から構成されるデータ送信系等も搭載される。
【００４２】
プリアンブル系列生成部１０１で生成されたプリアンブル系列信号は、アンテナＴｘ１及びアンテナＴｘ２の送信アンテナ系列に入力される。因みに、このプリアンブル系列信号は、例えば、端末間で異なるものが生成される。
【００４３】
サブキャリア選択部１０３−１、１０３−２は、サブキャリア選択指示部１０２の指示に従って、使用するサブキャリア位置（ＩＦＦＴの入力位置）にプリアンブル系列を配置してＩＦＦＴ１０４−１、１０４−２に出力する。
【００４４】
具体的には、サブキャリア選択部１０３−１は、図６のＴｘ１で示されるサブキャリア位置にプリアンブル系列を配置し、サブキャリア選択部１０３−２は、図６のＴｘ２で示されるサブキャリア位置にプリアンブル系列を配置して出力する。
【００４５】
ＩＦＦＴ（逆フーリエ変換部）１０４−１、１０４−２は、サブキャリア選択部１０３−１、１０３−２から入力された信号を逆フーリエ変換することで、時間波形信号であるＯＦＤＭ信号を形成する。ＯＦＤＭ信号は、ＲＦ部１０５−１、１０５−２によって無線処理が施された後、アンテナＴｘ１、Ｔｘ２から送信される。
【００４６】
図９に、図８の送信装置から送信されたプリアンブルを受信する受信装置の構成例を示す。図９の受信装置は、例えば基地局に搭載される。なお、図９では、プリアンブル受信に関わる構成のみを示しているが、実際の基地局には、復調部及び復号部等から構成されるデータ受信系も搭載される。
【００４７】
アンテナＲｘ１で受信された信号は、ＲＦ部２０１によって無線処理された後、プリアンブル相関演算部２０２に入力される。プリアンブルレプリカ生成部２０３は、受信の可能性のあるプリアンブル系列の時間波形レプリカを全て生成又は保持しており、これをプリアンブル相関演算部２０２に供給する。
【００４８】
プリアンブル相関演算部２０２は、供給されたプリアンブル系列の時間波形レプリカと受信信号との相関（すなわち自己相関値）を求める。プリアンブル検出判定及び受信タイミング検出部２０４は、プリアンブル相関演算部２０２で得られた自己相関値における閾値以上の相関ピークの有無及び位置に基づいて、どのプリアンブルを検出したかという判定と、そのプリアンブルの受信タイミングのずれを検出する。
【００４９】
ここで、上述したプリアンブル配置を用いれば、１ＯＦＤＭシンボル内で、閾値以上のピークが複数発生することを抑制できるので、受信タイミングのずれを誤り無く検出できるようになる。
【００５０】
なお、図８では、１つのプリアンブル系列生成部１０１で生成したプリアンブル系列を、アンテナＴｘ１及びアンテナＴｘ２の送信アンテナ系列の両方で用いる場合を示したが、図１０に示すように、アンテナＴｘ１の系列のプリアンブルはプリアンブル系列生成部
１０１−１で生成し、アンテナＴｘ２の系列のプリアンブルはプリアンブル系列生成部１０１−２で生成してもよい。つまり、送信アンテナ系列ごとに、個別のプリアンブル系列を送信してもよい。
【００５１】
また、受信装置は、図９のように、１本のアンテナで受信してもよいし、複数のアンテナで受信してもよい。
【００５２】
以上説明したように、本実施の形態によれば、プリアンブル系列を連続して配置するサブキャリアのパターンを周波数方向で変化させるようにしたことにより、プリアンブル系列をランダムなサブキャリア間隔で配置することができる。これにより、時間領域でプリアンブル系列の自己相関値を求めた場合に、サイドローブのピーク値が小さくなり、この結果、タイミングの検出誤りを防止できる。
【００５３】
また、ダイバーシチ送信の方法として、ＦＳＴＤを適用したことにより、１回の受信検出でダイバーシチ効果が得られるので、効率的なプリアンブル送信を実現できる。
【００５４】
（実施の形態２）
本実施の形態では、ＰＮ系列と同一パターンのサブキャリアにプリアンブル系列信号を配置することを提示する。本実施の形態では、ＰＮ系列として、特に、サブキャリア数と同じ長さでかつビット１とビット０が同数のＧｏｌｄ系列を用い、当該Ｇｏｌｄ系列の配列パターンにサブキャリアの配列を対応させて、当該Ｇｏｌｄ系列のビット１又はビット０のいずれかの位置に対応するサブキャリアにプリアンブル系列信号を配置することを提案する。
【００５５】
図１１に、Ｇｏｌｄ系列を用いて作成した、プリアンブルのサブキャリアへの配置パターンの例を示す。図１１は、サブキャリア数が６４個の場合の例を示しており、この場合、６４ビットのＧｏｌｄ系列生成し、ビット１とビット０が同数発生するものを採用する。Ｇｏｌｄ系列とサブキャリア配置とを対応させ、Ｇｏｌｄ系列において、ビット＝１となるところのサブキャリア（図中の黒塗りで示したサブキャリア）にプリアンブル系列を配置する。
【００５６】
アンテナＴｘ１から送信するサブキャリアのうち、図１１Ａ、図１１Ｂ、図１１Ｃ、図１１Ｄ又は図１１Ｅの黒塗りで示したサブキャリアにプリアンブル系列を配置する。そして、アンテナＴｘ２から送信するサブキャリアについては、アンテナＴｘ１でプリアンブル系列を配置しなかったサブキャリアにプリアンブル系列を配置すればよい。
【００５７】
このような操作は、図８のサブキャリア選択指示部１０２でＧｏｌｄ系列を生成し、サブキャリア選択部１０３−１、１０３−２でそれに基づくサブキャリア選択を行えばよい。
【００５８】
図１２に、図１１Ａ、図１１Ｂ、図１１Ｃ、図１１Ｄ又は図１１Ｅで示したサブキャリア配置を適用した場合の、受信側でのプリアンブルの自己相関特性を示す。図１２から分かるように、シンボルの先頭位置で大きなピークが現れる以外は、大きなピークは現れない。よって、タイミングの検出誤りを防止できる。
【００５９】
加えて、図１１のパターンｐ１〜ｐ５間での相互相関特性も非常に小さく抑えられるので、例えばパターンｐ１〜ｐ５を異なるセルのプリアンブル配置に適用した場合等に、セル間の干渉を抑制する効果を得ることもできる。
【００６０】
（実施の形態３）
本実施の形態では、ＰＮ系列として、特に、サブキャリア数からＤＣ（直流）サブキャリアを除いた長さと同じ長さのＭ系列を用い、当該Ｍ系列の配列パターンにサブキャリアの配列を対応させて、当該Ｍ系列のビット０の位置に対応するサブキャリアにプリアンブル系列を配置することを提案する。
【００６１】
図１３に、Ｍ系列を用いて作成した、プリアンブルのサブキャリアへの配置パターンの例を示す。Ｍ系列とサブキャリア配置とを対応させ、Ｍ系列において、ビット＝０となるところのサブキャリア（図中の黒塗りで示したサブキャリア）にプリアンブル系列を配置する。
【００６２】
アンテナＴｘ１から送信するサブキャリアのうち、図１３Ａ又は図１３Ｂの黒塗りで示したサブキャリアにプリアンブル系列を配置する。そして、アンテナＴｘ２から送信するサブキャリアについては、アンテナＴｘ１でプリアンブル系列を配置しなかったサブキャリアにプリアンブル系列を配置すればよい。
【００６３】
このような操作は、図８のサブキャリア選択指示部１０２でＭ系列を生成し、サブキャリア選択部１０３−１、１０３−２でそれに基づくサブキャリア選択を行えばよい。
【００６４】
図１４に、図１３Ａ又は図１３Ｂで示したサブキャリア配置を適用した場合の、受信側でのプリアンブルの自己相関特性を示す。図１４から分かるように、シンボルの先頭位置で大きなピークが現れる以外は、大きなピークは現れない。よって、タイミングの検出誤りを防止できる。
【００６５】
加えて、図１３のパターンｐ１、ｐ２間での相互相関特性も非常に小さく抑えられるので、例えばパターンｐ１、ｐ２を異なるセルのプリアンブル配置に適用した場合等に、セル間の干渉を抑制する効果を得ることもできる。
【００６６】
ところで、ＯＦＤＭでは、中心のサブキャリアはＤＣオフセットの影響を受けるため使用されないことが多い。Ｍ系列は、系列長が２ｎ−１（ｎ：自然数）なので、ＤＣサブキャリアを使用しないＯＦＤＭのサブキャリアにマッチしやすい。また、Ｍ系列は、ビット０とビット１がほぼ同数（ビット０が必ずビット１より１個少ない）なので、Ｇｏｌｄ系列のようにビット１とビット０が同数発生する系列を選択するという手間がなく、複数アンテナ間で同数のプリアンブルをサブキャリアに配置するのに適している。
【００６７】
（実施の形態４）
本実施の形態では、受信側で、送信アンテナの本数を判別し得る、プリアンブルの配置の仕方について説明する。
【００６８】
図１５及び図１６に示すように、送信アンテナの数に応じて、プリアンブルを配置するサブキャリアをシフトさせることで、受信側で、送信アンテナの本数を判別できるようになる。
【００６９】
図１５は、送信アンテナ数が２本の場合の、サブキャリアへのプリアンブル配置パターンを示し、図６で説明したのと同様の配置となっている。一方、図１６は、送信アンテナが１本の場合のサブキャリアへのプリアンブル配置パターンを示す。図１６のプリアンブル配置パターンは、図１５のプリアンブル配置パターンと比較して、プリアンブルが１サブキャリア分だけシフトさせたサブキャリアに配置されている。
【００７０】
このようにすることで、同じプリアンブル系列を用いた場合でも、送信アンテナの本数に応じて時間波形が異なるので、受信側で送信アンテナの本数に応じた複数のレプリカを
用意しておくことで、送信アンテナの本数を判別できるようになる。
【００７１】
因みに、送信アンテナ数が判別できると、各送信アンテナの回線推定を行うことができ、次に携帯端末から送信されてくる信号（例えばランダムアクセス信号）の回線補償に用いることができる。
【００７２】
（実施の形態５）
上述した実施の形態１〜４では、本発明をＦＳＴＤに適用する場合について説明したが、本発明はプリアンブルを周波数方向にＰＶＳ(Precoding Vector Switching)した場合にも適用できる。この場合、周波数方向にプリコーディングベクトル処理を施す範囲を、実施の形態１〜４のプリアンブル配置パターンを選択したのと同様に決定すればよい。
【００７３】
図１７に、送信アンテナが２本の場合に、ＰＶＳで用いるプリコーディング重みの例を示す。図１７Ａにおいて、重み１は２本とも同じ位相で送信することを示しており、重み２は２本目の送信アンテナからの信号を１本目の送信アンテナの逆相で送信することを示している。
【００７４】
図１８に、ＰＶＳを周波数方向に適用した場合の概略図を示す。奇数サブキャリアと偶数サブキャリアで同じプリアンブル系列を配置し、奇数サブキャリアに同相の重みづけを行い、偶数サブキャリアに逆相の重み付けを行うようになっている。この場合、基地局（受信側）でプリアンブルの相関をとるときに、奇数サブキャリアだけで作成したレプリカと偶数サブキャリアだけで作成したレプリカとを用いて相関演算を行うことになるので、正しい検出位置以外のサイドローブが発生することになる。
【００７５】
図１９に、ＰＶＳをかけつつサイドローブを抑圧する、本実施の形態の重み配置の例を示す。重み配置のパターンは、実施の形態１と同様であり、実施の形態１の送信アンテナＴｘ１でプリアンブルを配置したサブキャリアに重み１を、送信アンテナＴｘ２でプリアンブルを配置したサブキャリアに重み２を適用している。これにより、実施の形態１の効果と同様に、タイミングの検出誤りを防止できるといった効果を得ることができる。
【００７６】
なお、実施の形態１〜４のＦＳＴＤは周波数方向にＰＶＳを適用した場合の一形態ということもできる。周波数方向にＰＶＳを適用する場合を一般的に表現すると、重み［Ｔｘ１，Ｔｘ２］として、［ａ１，ａ２］と［ｂ１，ａ２］を用いていると言うことができる。本実施の形態では具体例の一つとして、［１，１］，［１，−１］を用いた場合について説明した。ＦＳＴＤの場合は、重みとして［１，０］，［０，１］を用いるのと等価である。
【００７７】
つまり、実施の形態１〜５で説明した方法は、プリアンブル系列信号を生成し、複数のアンテナを用いて、前記プリアンブル系列信号を重み付けベクトルによって重み付けし、重み付けされた信号をランダムなサブキャリア間隔で配置していると言うことができる。例えば、図８の構成では、サブキャリア選択指示部１０２及びサブキャリア選択部１０３−１、１０３−２が、サブキャリア配置手段としての機能に加えて、重み付け手段としての機能も果たしていると言うことができる。
【００７８】
さらに、実施の形態１〜５で説明した方法は、重み付け手段によって、第１のプリアンブル系列信号又は第２のプリアンブル系列信号に第１の重み付けを行って第１の重み付け後信号を生成する第１の重み付けと、前記第１のプリアンブル系列又は第２のプリアンブル系列に第２の重み付けを行って第２の重み付け後信号を生成する第２の重み付けとを行い、配置手段によって、前記第１の重み付け後の信号と前記第２の重み付け後の信号とをそれぞれランダムなサブキャリア間隔で配置し、かつ前記第１の重み付け後の信号と前記
第２の重み付け後の信号が配置されるサブキャリアが重複しないように配置しているということができる。なお、ＦＳＴＤは、重みベクトルとして、重みが０を含んだものを用いた場合であるということができる。
【００７９】
（他の実施の形態）
なお、上述した実施の形態では、送信アンテナが２本の場合で説明したが、上述したプリアンブルの送信方法は、２本よりも多い送信アンテナを用いてプリアンブルを送信する場合にも適用することができる。例えばプリアンブルを送信する送信アンテナが４本の場合は、先ず、上述した実施の形態で説明したように、プリアンブルを配置するサブキャリアをＰＮ系列で２分割し、次に、２分割後のプリアンブル配置に再びＰＮ系列を乗じて２分割すれば、４分割したプリアンブル配置、すなわち４本の送信アンテナ分のプリアンブル配置を作成することができる。これにより、各送信アンテナから送信されるプリアンブルの時間波形において、自己相関特性にサイドローブが出ないようにすることができる。
【００８０】
また、上述した実施の形態では、ダイバーシチ送信の方法として、ＦＳＴＤを用いた場合について説明したが、本発明の送信方法はこれに限らず、例えば１本のアンテナからプリアンブル系列を送信する場合に適用した場合でも、上述した実施の形態と同様の効果を得ることができる。ただし、実施の形態２、３、４のＧｏｌｄ系列及びＭ系列パターンを用いたプリアンブル配置は、両方の送信アンテナに同数のプリアンブルをランダムに配置できるので、ＦＳＴＤを用いた場合に特に効果的である。
【００８１】
上記各実施の形態では、本発明をハードウェアで構成する場合を例にとって説明したが、本発明はソフトウェアで実現することも可能である。
【００８２】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００８５】
２００８年１月１５日出願の特願２００８−００５９９６の日本出願に含まれる明細書、図面及び要約書の開示内容は、すべて本願に援用される。
【産業上の利用可能性】
【００８６】
本発明は、プリアンブルに基づくタイミング検出精度が向上するといった効果を有し、例えば携帯端末に適用して好適である。
【図面の簡単な説明】
【００８７】
【図１】タイミング検出誤りの原因の説明に供する図
【図２】図２Ａはプリアンブルを配置するサブキャリアを示す図、図２Ｂは時間領域での自己相関特性を示す図
【図３】図３Ａはプリアンブルを配置するサブキャリアを示す図、図３Ｂは時間領域での自己相関特性を示す図
【図４】図４Ａはプリアンブルを配置するサブキャリアを示す図、図４Ｂは時間領域での自己相関特性を示す図
【図５】図５Ａはプリアンブルを配置するサブキャリアを示す図、図５Ｂは時間領域での自己相関特性を示す図
【図６】本発明の実施の形態１における、サブキャリアへのプリアンブルの配置パターンを示す図
【図７】図６のプリアンブル配置パターンを用いた場合の、時間領域での自己相関特性を示す図
【図８】送信装置の構成例を示すブロック図
【図９】受信装置の構成例を示すブロック図
【図１０】送信装置の構成例を示すブロック図
【図１１】図１１Ａ〜図１１Ｅは、実施の形態２における、サブキャリアへのプリアンブルの配置パターンを示す図
【図１２】図１１のプリアンブル配置パターンを用いた場合の、時間領域での自己相関特性を示す図
【図１３】図１３Ａ及び図１３Ｂは、実施の形態３における、サブキャリアへのプリアンブルの配置パターンを示す図
【図１４】図１３のプリアンブル配置パターンを用いた場合の、時間領域での自己相関特性を示す図
【図１５】実施の形態４における、送信アンテナが２本の場合のサブキャリアへのプリアンブルの配置パターンを示す図
【図１６】実施の形態４における、送信アンテナが１本の場合のサブキャリアへのプリアンブルの配置パターンを示す図
【図１７】図１７ＡはＰＶＳで用いるプリコーディング重みの例を示す図、図１７Ｂはアンテナ配置を示す図
【図１８】ＰＶＳにおける一般的なプリアンブル配置を示す図
【図１９】実施の形態５における、ＰＶＳでのプリアンブル配置例を示す図
【手続補正３】
【補正対象書類名】図面
【補正対象項目名】全図
【補正方法】変更
【補正の内容】
【図１】
2009090869.tif 000022
【図２】
2009090869.tif 000023
【図３】
2009090869.tif 000024
【図４】
2009090869.tif 000025
【図５】
2009090869.tif 000026
【図６】
2009090869.tif 000027
【図７】
2009090869.tif 000028
【図８】
2009090869.tif 000029
【図９】
2009090869.tif 000030
【図１０】
2009090869.tif 000031
【図１１】
2009090869.tif 000032
【図１２】
2009090869.tif 000033
【図１３】
2009090869.tif 000034
【図１４】
2009090869.tif 000035
【図１５】
2009090869.tif 000036
【図１６】
2009090869.tif 000037
【図１７】
2009090869.tif 000038
【図１８】
2009090869.tif 000039
【図１９】
2009090869.tif 000040
【国際調査報告】
2009090869.tif 000041
2009090869.tif 000042
2009090869.tif 000043